(57)【特許請求の範囲】
【請求項１】
便器本体と、
前記便器本体を縦面に取り付ける支持フレームと
を備え、
前記支持フレームは、
前記縦面に固定される固定体と、
前記固定体から前方に向かって突出した支持体と
を有し、
前記支持体は前記便器本体を支持する左右方向に離れた一対の支持部を含み、
前記便器本体は前記一対の支持部に一対一で対応する一対の載置部を含み、
前記一対の載置部の各々は前後方向に延びた少なくとも１つの載置領域を具備しており、
前記載置領域は、前後方向の全長にわたって前記一対の支持部の各々に支持されており、
前記便器本体は、ボウル部の上端に設けられ、便座が載るリム部を有しており、
前記載置領域は、前記リム部の裏面の一部である、
便器。
【請求項２】
前記載置領域は、前記一対の支持部の各々の上面に対して面接触している、請求項１記載の便器。
【請求項３】
前記一対の支持部の各々の上面は平坦である、請求項２記載の便器。
【請求項４】
前記支持フレームは、前記一対の支持部を一対一で対応して補強する一対の補強部を備え、
前記一対の補強部の各々は、前記一対の支持部のうちの対応する支持部と前記固定体とにわたって形成されている、請求項１〜３のいずれか一項に記載の便器。
【請求項５】
前記一対の補強部の各々は、前記対応する支持部と前記固定体とを連結した筋交いである、請求項４記載の便器。
【請求項６】
前記一対の補強部の各々は、
前記固定体から前方に向かって突出する横補強体と、
前記横補強体と前記対応する支持部とを連結する縦補強体と
を備えている、請求項４記載の便器。
【請求項７】
前記一対の補強部は、前記一対の支持部の下方に設けられている、請求項４〜６のいずれか一項に記載の便器。
【請求項８】
前記リム部は水平に延びた前記載置部としての横面部を具備し、
前記横面部は前記載置領域を含んでいる、
請求項１〜７のいずれか一項に記載の便器。
【請求項９】
前記一対の支持部の幅は、前記横面部の幅の１／１０以上に形成されている、請求項８に記載の便器。
【請求項１０】
前記便器本体は、ボウル部の外面から水平面に沿って突出した前記載置部としての突出片を具備し、
前記突出片は前記載置領域を含む、請求項１〜７のいずれか一項に記載の便器。
【請求項１１】
前記便器本体のボウル部の周壁は、前記ボウル部の内面側に突曲して形成された突曲部を有しており、
前記突曲部の外面は前記載置領域を含む、請求項１〜７のいずれか一項に記載の便器。
【請求項１２】
前記一対の支持部の各々に対する、前後方向または左右方向のうちの少なくともいずれかへの前記載置領域の移動を規制する移動規制部をさらに備えている、請求項１〜１１のいずれか一項に記載の便器。
【請求項１３】
便器本体と、
前記便器本体を縦面に取り付ける支持フレームと
を備え、
前記支持フレームは、
前記縦面に固定される固定体と、
前記固定体から前方に向かって突出した支持体と
を有し、
前記支持体は前記便器本体を支持する左右方向に離れた一対の支持部を含み、
前記便器本体は前記一対の支持部に一対一で対応する一対の載置部を含み、
前記一対の載置部の各々は前後方向に延びた少なくとも１つの載置領域を具備しており、
前記載置領域は、前後方向の全長にわたって前記一対の支持部の各々に支持されており、
前記一対の支持部の各々に対する、前後方向または左右方向のうちの少なくともいずれかへの前記載置領域の移動を規制する移動規制部をさらに備え、
前記移動規制部は、前記便器本体に設けられた挟持部を有しており、
前記挟持部と前記載置領域とで前記一対の支持部の各々を挟むように構成されている、
便器。
【請求項１４】
便器本体と、
前記便器本体を縦面に取り付ける支持フレームと
を備え、
前記支持フレームは、
前記縦面に固定される固定体と、
前記固定体から前方に向かって突出した支持体と
を有し、
前記支持体は前記便器本体を支持する左右方向に離れた一対の支持部を含み、
前記便器本体は前記一対の支持部に一対一で対応する一対の載置部を含み、
前記一対の載置部の各々は前後方向に延びた少なくとも１つの載置領域を具備しており、
前記載置領域は、前後方向の全長にわたって前記一対の支持部の各々に支持されており、
前記一対の支持部の各々に対する、前後方向または左右方向のうちの少なくともいずれかへの前記載置領域の移動を規制する移動規制部をさらに備え、
前記移動規制部は、前記便器本体に設けられ前記一対の支持部の外縁に沿って突出する突起部を有しており、
前記突起部は、前記一対の支持部の各々と前記載置領域との左右方向の相対的な移動を規制するように構成されている、
便器。
【請求項１５】
便器本体と、
前記便器本体を縦面に取り付ける支持フレームと
を備え、
前記支持フレームは、
前記縦面に固定される固定体と、
前記固定体から前方に向かって突出した支持体と
を有し、
前記支持体は前記便器本体を支持する左右方向に離れた一対の支持部を含み、
前記便器本体は前記一対の支持部に一対一で対応する一対の載置部を含み、
前記一対の載置部の各々は前後方向に延びた少なくとも１つの載置領域を具備しており、
前記載置領域は、前後方向の全長にわたって前記一対の支持部の各々に支持されており、
前記一対の支持部の各々に対する、前後方向または左右方向のうちの少なくともいずれかへの前記載置領域の移動を規制する移動規制部をさらに備え、
前記移動規制部は、
前記一対の支持部の前端部を連結する前側連結部と、
前記便器本体に設けられたボウル部の後方に配置され、前記一対の支持部を連結する後側連結部と
を有し、
前記前側連結部および前記後側連結部は、前記一対の支持部に対する前記載置領域の前後方向の移動を規制するように構成されている、
便器。
【請求項１６】
前記前側連結部が分断されており、
前記分断された部分がねじ具で連結されている、請求項１５記載の便器。
【請求項１７】
前記後側連結部が分断されており、
前記分断された部分がねじ具で連結されている、請求項１６記載の便器。
【請求項１８】
前記前側連結部は、前記便器本体を支持するように構成されている、請求項１５記載の便器。
【請求項１９】
前記移動規制部は、前記載置領域と前記一対の支持部の各々とを相互に固着する固着体を有している、請求項１２記載の便器。
【請求項２０】
便器本体と、
前記便器本体を縦面に取り付ける支持フレームと
を備え、
前記支持フレームは、
前記縦面に固定される固定体と、
前記固定体から前方に向かって突出した支持体と
を有し、
前記支持体は前記便器本体を支持する左右方向に離れた一対の支持部を含み、
前記便器本体は前記一対の支持部に一対一で対応する一対の載置部を含み、
前記一対の載置部の各々は前後方向に延びた少なくとも１つの載置領域を具備しており、
前記載置領域は、前後方向の全長にわたって前記一対の支持部の各々に支持されており、
前記一対の支持部の各々に対する、前後方向または左右方向のうちの少なくともいずれかへの前記載置領域の移動を規制する移動規制部をさらに備え、
前記移動規制部は、
前記便器本体に設けられた係止部と、
前記係止部が引っ掛けられるように構成され、前記支持フレームに設けられた被係止部とを有している、
便器。
【請求項２１】
前記便器本体と前記一対の支持部との間には、異音防止材が介在している、請求項１〜２０のいずれか一項に記載の便器。
【請求項２２】
便器本体と、
前記便器本体を縦面に取り付ける支持フレームと
を備え、
前記支持フレームは、
前記縦面に固定される固定体と、
前記固定体から前方に向かって突出した支持体と
を有し、
前記支持体は前記便器本体を支持する左右方向に離れた一対の支持部を含み、
前記便器本体は前記一対の支持部に一対一で対応する一対の載置部を含み、
前記一対の載置部の各々は前後方向に延びた少なくとも１つの載置領域を具備しており、
前記載置領域は、前後方向の全長にわたって前記一対の支持部の各々に支持されており、
前記固定体は、前記縦面に沿って固定される固定板を有し、
前記固定板には、前記縦面に固定される固着具が通される固着具挿通孔が設けられており、
前記固定板は、前記固着具挿通孔の開口周縁部が、前記固定板における前記開口周縁部以外の箇所に比べて厚く形成されている、
便器。
【請求項２３】
前記固定体と前記縦面との間の隙間に配置されるスペーサ部をさらに備えている、請求項１〜２２のいずれか一項に記載の便器。
【請求項２４】
前記便器本体は、前記一対の支持部を外側から覆ったスカートを有している、請求項１〜２３のいずれか一項に記載の便器。
【請求項２５】
前記便器本体は樹脂製である、請求項１〜２４のいずれか一項に記載の便器。
【発明の詳細な説明】
【技術分野】
【０００１】
本発明は、便器に関する。
【背景技術】
【０００２】
特許文献１には、壁掛け便器が開示されている。特許文献１記載の壁掛け便器は、壁面に固定されるブラケットと、ブラケットに支持される便器とを備えている。
【０００３】
便器には、下端が丸く形成された複数の垂下片が設けられている。複数の垂下片はブラケットに載せられるように構成されており、これにより、便器はブラケットに支持される。
【先行技術文献】
【特許文献】
【０００４】
【特許文献１】特開平１０−２７３９２７号公報
【発明の概要】
【発明が解決しようとする課題】
【０００５】
ところでこの従来の壁掛け便器の構造では、便器の自重とユーザーの体重とがすべて複数の垂下片に掛かる。このため、垂下片の下端が丸く形成されていると、垂下片には、ブラケットから受ける反力が集中荷重として作用し、過度な応力が発生する可能性がある。
【０００６】
本発明の目的は、支持フレームおよび便器本体に掛かる荷重が、集中荷重として作用するのを抑制できる便器を提供することである。
【課題を解決するための手段】
【０００７】
本発明に係る一態様の便器は、便器本体と、前記便器本体を縦面に取り付ける支持フレームとを備え、前記支持フレームは、前記縦面に固定される固定体と、前記固定体から前方に向かって突出した支持体とを有し、前記支持体は前記便器本体を支持する左右方向に離れた一対の支持部を含み、前記便器本体は前記一対の支持部に一対一で対応する一対の載置部を含み、前記一対の載置部の各々は前後方向に延びた少なくとも１つの載置領域を具備しており、前記載置領域は、前後方向の全長にわたって前記一対の支持部の各々に支持されていることを特徴とする。
【発明の効果】
【０００８】
本発明の便器によれば、支持フレームおよび便器本体に掛かる荷重が、集中荷重として作用するのを抑制できる。
【図面の簡単な説明】
【０００９】
【図１】本発明に係る一実施形態の便器の斜視図である。
【図２】上記実施形態の支持フレームの斜視図である。
【図３】図３Ａは、便器の水平断面図である。図３Ｂは、図３ＡにおけるＡ−Ａ線断面図である。
【図４】上記実施形態の鉛直面に沿った断面図である。
【図５】図５Ａは、変形例１−１の支持フレームの斜視図である。図５Ｂは、変形例１−２の支持フレームの斜視図である。
【図６】図６Ａは、変形例２−１の載置部の周辺の断面図である。図６Ｂは、変形例２−２の載置部の周辺の断面図である。図６Ｃは、変形例２−３の載置部の周辺の断面図である。
【図７】変形例２−４の載置部の周辺の断面図である。
【図８】変形例２−５の載置部の周辺の断面図である。
【図９】図９Ａは、変形例３−１の載置部の周辺の断面図である。図９Ｂは、変形例３−２の載置部の周辺の断面図である。
【図１０】図１０Ａは、変形例４−１の載置部の周辺の断面図である。図１０Ｂは、変形例４−２の載置部の周辺の断面図である。図１０Ｃは、変形例４−３の載置部の周辺の断面図である。図１０Ｄは、変形例４−４の載置部の周辺の断面図である。
【図１１】図１１Ａは、変形例４−５の載置部の周辺の断面図である。図１１Ｂは、変形例４−６の載置部の周辺の断面図である。
【図１２】図１２Ａは、変形例５−１の載置部の周辺の断面図である。図１２Ｂは、変形例５−２の載置部の周辺の断面図である。
【図１３】図１３Ａは、変形例５−１の突起部を下方から見た図である。図１３Ｂは、図１３Ａの他例の突起部を下方から見た図である。
【図１４】図１３Ａのさらに他例の突起部を下方から見た図である。
【図１５】図１５Ａは、変形例５−３の載置部の周辺の断面図である。図１５Ｂは、変形例５−４の載置部の周辺の断面図である。
【図１６】変形例６の便器の水平断面図である。
【図１７】変形例７−１の支持部とリム部との分解斜視断面図である。
【図１８】変形例７−２の支持部とリム部との分解斜視断面図である。
【図１９】図１９Ａは、変形例８−１の載置部の周辺の断面図である。図１９Ｂは、変形例８−２の載置部の周辺の断面図である。
【図２０】変形例９の便器の鉛直面に沿った断面図である。
【図２１】図２１Ａは、変形例１０の支持フレームの側面図である。図２１Ｂは、変形例１０の支持フレームの縦体の下端部の一部を破断した拡大図である。
【発明を実施するための形態】
【００１０】
本発明は、便器に関し、特に、壁等の縦面に取り付けられた壁掛け便器に関する。以下、本発明の実施形態について添付図面に基づいて説明する。
【００１１】
以下の説明においては、便器１に着座したユーザーを基準に前後方向を決定する。すなわち、図１に示すように、縦面から便器１が突出した方向を前向きとし、その反対方向を後向きとする。また、前向きおよび後向きに平行な方向を前後方向といい、前後方向に直交しかつ水平面に沿う方向を左右方向という場合がある。
【００１２】
（１）概要
本実施形態の便器１は、トイレルームの壁面７０などの縦面に取り付けられる便器１である。便器１は、床面７１から離れて配置されており、便器１の下方に位置する床面７１の清掃が容易となるように構成されている。一方、本実施形態の便器１は、床面７１から離れた位置に配置されているため、ユーザーが着座した場合などの荷重に耐えるべく、便器本体３が、縦面に固定された支持フレーム２によって支持される。便器１は、便器本体３と、支持フレーム２とを備えている。
【００１３】
支持フレーム２は、図２に示すように、固定体２１と、固定体２１から前方に突出する支持体２０とを備えている。支持体２０は、前後方向に延びた一対の支持部２４と、一対の支持部２４の前端同士を連結する前側連結部２５とを含む。支持フレーム２の一対の支持部２４には、図３Ａ，３Ｂに示すように、便器本体３の一対の載置部４が一対一で支持されるように構成されている。この載置部４において、支持部２４により支持される領域を載置領域４１とする。載置領域４１は、便器本体３の前後方向に延びている。本実施形態の載置領域４１は、リム部３３の裏面の一部からなる。
【００１４】
本実施形態の便器本体３の載置領域４１は、前後方向に延びており、載置領域４１の全長にわたって支持フレーム２により支持されている。このため、便器本体３に掛かる下向きの荷重は、前後方向に延びた載置領域４１を介して、支持フレーム２により受けられる。したがって、本実施形態の便器１は、便器本体３の自重とユーザーが着座した場合のユーザーの体重とからなる荷重を、一対の支持部２４に対して、分布荷重として作用させることができる。この結果、本実施形態の便器１は、床面７１から離れた位置に配置されていても、ユーザーが着座した場合などの荷重に耐えることができるような構造となっている。
【００１５】
（２）詳細
以下、本実施形態の便器１について詳しく説明する。ただし、以下に説明する構成は、本発明の一例に過ぎず、本発明は下記実施形態に限定されない。本発明に係る技術的思想を逸脱しない範囲であれば、設置現場の環境や仕様等に応じて、下記実施形態からの種々の変更が可能である。
【００１６】
（２．１）支持フレーム
支持フレーム２は、便器本体３を縦面に取り付ける。支持フレーム２は、一定以上の剛性を有する部材により構成されており、例えば、鉄，ステンレス，アルミ等の金属や、カーボン、木材等により構成される。支持フレーム２は、図２に示すように、固定体２１と、支持体２０とを備えている。この支持体２０は、一対の支持部２４と、前側連結部２５と、後側連結部２７と、一対の補強部８とを有している。
【００１７】
固定体２１は、縦面に固定されるように構成されている。ここで、縦面は、本実施形態においてトイレルームの壁面７０により構成される。縦面は、本実施形態では鉛直面であるが、厳密な鉛直面だけを意味するのではなく、上下方向および左右方向に沿った面であれば、「縦面」の範疇に含まれる。つまり、ここでいう縦面には、やや前傾した面も含まれるし、やや後傾した面も含まれる。また、縦面は平面でなくてもよく、凹凸面であってもよい。
【００１８】
固定体２１は、壁面７０に沿って配置される一対の縦体２２と、一対の縦体２２を連結する横体２３とを備えている。一対の縦体２２は、上下方向に延びた中空パイプにより構成されており、左右方向に離れている。横体２３は、一対の縦体２２の上端部間に配置され、一対の縦体２２に固定されている。横体２３は、固定板２３２と、固定板２３２の上下方向の両端から前方に突出した一対の補強片２３３とを備え、断面略Ｃ字状に形成されている。一対の補強片２３３は、固定板２３２の変形を抑制する。固定板２３２は、固着具により壁面７０にねじ止めされる。なお、ここでいう固着具としては、ビスやボルトなどのねじ具７３や，リベット，釘などが例示できる。ねじ具７３は、少なくとも、外周に雄ねじが形成された軸部を有するが、頭部はなくてもよい。また、平ワッシャーやスプリングワッシャーは、必要に応じて適宜用いられる。
【００１９】
固定板２３２は、壁面７０に沿って固定される。固定板２３２は、左右方向に延びて帯状に形成された部分である。固定板２３２は、板状に形成されている。
【００２０】
固定板２３２には、複数の固着具挿通孔２３１が設けられている。この複数の固着具挿通孔２３１には、壁面７０への固定に用いられる複数の固着具が一対一で通される。各固着具挿通孔２３１の周縁部（開口周縁部２３４）は、固定板２３２における複数の開口周縁部２３４以外の箇所に比べて厚く形成されている。この開口周縁部２３４の厚さは、例えば、固着具がねじ具の場合、雄ねじのねじ山の１ピッチの長さよりも厚く形成される。これにより、固着具挿通孔２３１の内周面に対して、少なくとも、２つ以上の雄ねじのねじ山が当たるように構成されている。また、開口周縁部２３４の外径は、固着具のワッシャーの外径と同じか、あるいは当該ワッシャーよりも大きく形成されている。
【００２１】
固着具挿通孔２３１の径（内径）は、固着具の軸部の外径と略同じとなるように形成されている。これにより、支持フレーム２を壁面７０に取り付けた状態では、固着具挿通孔２３１の内周面と、固着具の軸部の外周面とが、接触または近接対向し、固着具挿通孔２３１と固着具の軸部との間には何も介在しないように構成されている。
【００２２】
ここで、一般に、陶器からなる壁掛け便器にあっては、壁面と陶器からなる便器本体とがねじ具で連結されている。この壁掛け便器においては、便器本体に対して、ねじ具のねじ山が接触しないようにするために、ねじ具の軸部と便器本体の挿通孔の内周面との間に緩衝材を介在することが行われている。このため、陶器からなる壁掛け便器では、ユーザーが便座に着座すると、緩衝材が弾性変形することで、便器本体がやや沈み込むように移動する。
【００２３】
これに対し、本実施形態の便器は、破損しにくい支持フレームが壁面と便器本体との間に介在しており、壁面にねじ止めされるねじ具７３のねじ山に接触する箇所が、支持フレームとなるように構成されている。このため、便器本体に荷重が掛かっても、破損や割れが生じにくい。したがって、本実施形態の便器にあっては、固着具挿通孔２３１の径を、固着具の外径と略同じとなるように形成することで、ユーザーが着座した際の沈み込みを抑制できる。
【００２４】
また、本実施形態の開口周縁部２３４は、開口周縁部２３４以外の箇所に比べて厚く形成されている。言い換えると、固着具の軸部と固定板２３２との接触面積が、一定の面積以上となるように構成されている。これにより、固定板２３２として、できる限り薄い材料を用いて、材料費を削減しながらも、固着具から固定板２３２に掛かる外力を分散させることができ、固定板２３２の破壊を抑制できる。
【００２５】
支持体２０は、固定体２１から前方に向かって突出している。支持体２０は、便器本体３を支持する。支持体２０は、一対の支持部２４と、前側連結部２５と、後側連結部２７と、一対の補強部８とを含む。
【００２６】
一対の支持部２４は、便器本体３を支持する。一対の支持部２４は、一対の縦体２２から前方に向かって突出しており、左右方向に離れている。本実施形態の一対の支持部２４は、前後方向に直線状に延びて形成されている。一対の支持部２４の各々は、平坦な上面を含む角パイプにより構成されている。
【００２７】
前側連結部２５は、一対の支持部２４の前側の端部（前端部）を連結する。前側連結部２５は、便器本体３の一部（本実施形態ではリム部３３）に当たるように構成されているため、支持部２４に対する便器本体３の前側への移動を規制する。また、前側連結部２５は、便器本体３の前側の端部を支持する。本実施形態の前側連結部２５は、上方から見て（以下、平面視）半円弧状に形成されており、一対の支持部２４に連続する。これにより、一対の支持部２４と前側連結部２５とは、平面視略Ｕ字状に形成されている。前側連結部２５は、一対の支持部２４と同様に、平坦な上面を含む角パイプにより構成されており、前側連結部２５の平坦な上面は、一対の支持部２４の平坦な上面に面一に形成されている。
【００２８】
前側連結部２５は、左右方向の中間部において分断されており、第一連結部２５１と、第二連結部２６１とに別れている。第一連結部２５１と第二連結部２６１とは隙間を介して位置している。第一連結部２５１の隙間側の端部には、第一凹所２５２と、第一凹所２５２の隙間側に配置された第一端板２５３とが設けられている。第一端板２５３には雌ねじ２５４が設けられている。また、第二連結部２６１の隙間側の端部には、第二凹所２６２と、第二凹所２６２の隙間側に配置された第二端板２６３とが設けられている。第二端板２６３には貫通孔２６４（いわゆるばか孔）が設けられている。
【００２９】
第二端板２６３の貫通孔２６４にねじ具２９を挿入し、このねじ具２９を第一端板２５３の雌ねじ２５４にねじ込むと、ねじ具２９の頭が第二端板２６３に当たる。この状態で、ねじ具２９をさらにねじ込むと、第一端板２５３と第二端板２６３との間の隙間が狭くなり、これにより、一対の支持部２４の間の距離が短くなる。したがって、一対の支持部２４の間に後述のボウル部３１が入った状態で、第一連結部２５１と第二連結部２６１とがねじ具２９で連結されると、ボウル部３１が一対の支持部２４で挟まれる。この結果、支持フレーム２とボウル部３１との左右方向の隙間がなくなり、支持フレーム２に対する便器本体３の左右方向の移動が規制される。
【００３０】
後側連結部２７は、一対の支持部２４を、ボウル部３１の後方において連結する。後側連結部２７は、左右方向に沿って直線状に形成されている。後側連結部２７は、一対の支持部２４と同様に、平坦な上面を含む角パイプにより構成されている。後側連結部２７の上面と、一対の支持部２４の上面とは面一に形成されている。
【００３１】
後側連結部２７は、図３Ａに示すように、一対の押圧体２８を有している。一対の押圧体２８は、後側連結部２７に左右方向に離れて形成された一対の雌ねじに対し、一対一でねじ込まれている。一対の押圧体２８は、便器本体３を前向きに押し、これにより、便器本体３を前側連結部２５に押し当てて、便器本体３の前後方向の移動を規制する。一対の押圧体２８の各々は、図２に示すように、シャフト２８１と、押圧板２８２と、ロックナット２８３とを備えている。
【００３２】
押圧板２８２は、便器本体３のボウル部３１の後面に当たる。シャフト２８１は、押圧板２８２から後方に向かって延びている。シャフト２８１は、押圧板２８２に回転自在に取り付けられている。シャフト２８１の後端面には、例えば、六角穴が形成されており、シャフト２８１は、工具によって軸周りに回転させることができる。シャフト２８１の外面には雄ねじが形成されている。
【００３３】
一対の押圧体２８の各々は、シャフト２８１が雌ねじに対して前側からにねじ込まれる。この状態で、押圧体２８の前方にボウル部３１が配置される。この状態で、シャフト２８１を軸周りに回転させ、シャフト２８１を前向きに進行させることで、ボウル部３１に対して押圧体２８を前向きに押し当てることができる。
【００３４】
一対の補強部８は、一対の支持部２４を、一対一に対応して支持する。すなわち、各補強部８は、対応する支持部２４を補強する。各補強部８は、一対の支持部２４のうちの対応する支持部２４と、一対の縦体２２のうちの対応する縦体２２とにわたって形成されており、この支持部２４と縦体２２とに固定される。これにより、各補強部８は、対応する縦体２２と支持部２４との相対的な位置関係を維持させる。本実施形態の各補強部８は、筋交い８１により構成されている。
【００３５】
各筋交い８１は、一対の縦体２２のうちの一方の縦体２２の下端部と、それに対応する支持部２４の前端部とを連結する。すなわち、左側に位置する筋交い８１は、左側に位置する縦体２２の下端部と、左側に位置する支持部２４の前端部とを連結する。また、右側に位置する筋交い８１は、右側に位置する縦体２２の下端部と、右側に位置する支持部２４の前端部とを連結する。本実施形態の一対の筋交い８１は、一対の支持部２４を下方から支持するように構成されている。
【００３６】
（２．２）便器本体
便器本体３は、本実施形態の便器１の主体を形成する。便器本体３は、図４に示すように、支持フレーム２に支持され、これにより、トイレルームの壁面７０から突出した状態で取り付けられる。本実施形態の便器本体３は、ボウル部３１と、リム部３３と、便器後部３４と、トラップ部３５と、スカート３６とを備え、これらは合成樹脂により構成されている。
【００３７】
ボウル部３１は、ユーザーの排出する小便または大便を受ける部分である。ボウル部３１は、上面が開口した上開口部３１１と、トラップ部３５に通じる下開口部３１２と、突出片３２とを備えている。突出片３２は、ボウル部３１の上開口部３１１の開口周縁から、水平面に沿ってかつ外側に向かって突出している。突出片３２は、上開口部３１１の開口周縁の周方向の全長にわたって形成されており、フランジ状に形成されている。
【００３８】
リム部３３は、ボウル部３１の上開口部３１１の上方に載せられた状態で、ボウル部３１に溶着されている。リム部３３は、便座６１および便蓋６２を支持する。リム部３３は、図３Ｂに示すように、フランジ片３３１と、下内周部３３２と、上内周部３３３と、横面部３３６とを備えており、これらフランジ片３３１・下内周部３３２・上内周部３３３・横面部３３６は樹脂成型により一体成型されている。
【００３９】
フランジ片３３１は、ボウル部３１の突出片３２に溶着される。フランジ片３３１は、水平に延びている。フランジ片３３１の上面は、横面部３３６の下面に対し、支持部２４の上下方向の長さと略同じ寸法だけ下方に位置している。これにより、フランジ片３３１は、横面部３３６との間で支持部２４を挟むことができるように構成されている。
【００４０】
下内周部３３２は、フランジ片３３１の内側の端部から内側上方に向かって延びている。下内周部３３２は、断面において上方に凹となるように、湾曲している。下内周部３３２の内側の端部からは、上内周部３３３が上方に向かって延びている。
【００４１】
上内周部３３３は、図４に示すように、ボウル部３１の後方側の側壁の上方に位置する第一部３３４と、それ以外の側壁の上方に位置する第二部３３５とを備えている。第一部３３４と第二部３３５とは、図３Ａに示すように、平面視環状に形成されており、ボウル部３１の上開口部３１１の開口周縁に対応している。第一部３３４は、図４に示すように、ボウル部３１の後方側の側壁に対応する位置にある下内周部３３２の内側の端部から、鉛直上方に向かって延びている。第一部３３４の後面は、支持フレーム２の押圧体２８が当たる部分となる。第二部３３５は、下内周部３３２の内側の端部から、外側上方に向かって延びており、すなわち、上方に向かうほど外側に位置するように傾斜している。
【００４２】
横面部３３６は、第一部３３４および第二部３３５の上端部から水平面に沿ってかつ外側に向かって延びている。つまり、横面部３３６は、上内周部３３３の開口周縁の全長に亘って設けられている。横面部３３６のうち、左右方向の両側に位置する前後方向に延びた部分（つまり、一対の支持部２４に対応する部分）が、一対の載置部４を構成し、前側連結部２５に対応する部分が前置部４２を構成し、後側連結部２７に対応する部分が後置部４３を構成する。
【００４３】
また、リム部３３は、図３Ｂに示すように、横面部３３６と上内周部３３３と下内周部３３２とにわたって設けられた複数のリブ３３７を有している。複数のリブ３３７は、鉛直面に沿って延びており、図３Ａに示すように、ボウル部３１の上開口部３１１の開口周縁に沿う方向に一定の間隔を置いて配置されている。複数のリブ３３７は、一対の支持部２４および前側連結部２５に対応する位置に設けられている。したがって、支持フレーム２の一対の支持部２４の間にボウル部３１を配置した状態で、第一連結部２５１と第二連結部２６１とがねじ具２９で連結されると、一対の支持部２４および前側連結部２５は、複数のリブ３３７に当たる。これにより、支持フレーム２によってボウル部３１が挟まれても、リブ３３７の補強作用によって、ボウル部３１が損傷したり過剰にたわんだりするのを防ぐことができる。
【００４４】
便器後部３４は、図４に示すように、ボウル部３１の後方上部に設けられている。便器後部３４は、局部洗浄装置などの機器を内部に収容する部分である。便器後部３４には、便蓋６２および便座６１が回動自在に取り付けられている。
【００４５】
トラップ部３５は、ボウル部３１の下開口部３１２に接続されており、封水を形成する。トラップ部３５は、封水を形成することで、臭気が排水管７２からボウル部３１側へ逆流したり、衛生害虫やねずみがボウル部３１側へ侵入したりするのを防ぐ。本実施形態のトラップ部３５は、いわゆるＳ字トラップにより構成されている。トラップ部３５は、上流側の端部がボウル部３１の下開口部３１２に接続され、下流側の端部が排水管７２に接続されるように構成される。ここで、排水管７２は、壁面７０に設けられている。排水管７２は、上流側の端部が室内に向かって開口しており、上流側の端部が下水管に通じている。
【００４６】
スカート３６は、ボウル部３１を外側から覆うように構成されている。スカート３６の上端は、リム部３３の横面部３３６の外周端部に、溶着により固定されている。スカート３６は、支持フレーム２がボウル部３１を支持した状態で、横面部３３６の外周端部に取り付けられると、支持フレーム２の外側を覆う。スカート３６は、上下方向に幅を有している。スカート３６は、平面視Ｕ字状に形成されており、下方に開放している。
【００４７】
このような構成の便器本体３は、支持フレーム２の一対の支持部２４によって支持される。便器本体３には一対の載置部４が設けられており、支持部２４は、この一対の載置部４を支持する。本実施形態の一対の載置部４は、横面部３３６のうちの左右方向の両側に位置する部分からなる。
【００４８】
各載置部４は、図３Ｂに示すように、載置領域４１を含んでいる。載置領域４１は、載置部４が受けた上方からの荷重を、各支持部２４に対して与える領域である。つまり、各支持部２４は、載置領域４１を介して載置部４を支持し、この結果、各支持部２４は便器本体３を支持している。載置領域４１は、前後方向に延びており、その全長にわたって各支持部２４に支持される。これにより、各支持部２４には、便器本体３から掛かる荷重を、前後方向にわたった分布荷重として作用させることができる。
【００４９】
載置領域４１は、平坦な下面からなり、各支持部２４の上面に対して面状に接触している。なお、載置領域４１は、各支持部２４に対して本実施形態のように、接触することで直接的に支持されてもよいし、載置領域４１と各支持部２４との間に異音防止材を介在させて間接的に支持されてもよい。これについては、後述の「（３．４）その他の部分の変形例」で詳述する。
【００５０】
また、載置領域４１の幅は、各載置部４の幅の約１／３を占めている。また、載置領域４１は、前後方向に直交する断面において、各載置部４の幅方向の中央を含む位置に形成されている。このため、各載置部４の幅方向の全てに荷重が掛かった場合であっても、各載置部４の破損の発生を抑制できる。なお、載置領域４１の幅は、載置部４の幅の１／１０以上であれば、適切に載置部４の破損を抑制できるが、好ましくは１／３以上であり、より好ましくは、１／２以上である。
【００５１】
（２．３）移動規制部
本実施形態の便器１は、移動規制部をさらに有している。移動規制部は、各支持部２４に対する載置領域４１の位置を保つように構成されており、支持フレーム２に支持された便器本体３のがたつきを防止する。本実施形態の移動規制部は、リム部３３に設けられた挟持部としてのフランジ片３３１を有する。載置部４が支持部２４により支持された状態で、フランジ片３３１は、この載置部４とで支持部２４を挟む。これによって、フランジ片３３１は、便器本体３の各支持部２４に対する載置部４の位置を保つように構成されている。
【００５２】
また、移動規制部は、図３Ａに示すように、前側連結部２５と、後側連結部２７とを有しており、これら前側連結部２５と後側連結部２７とで一対の支持部２４に対する載置部４の前後方向の移動を規制するように構成されている。すなわち、一対の支持部２４と前側連結部２５と後側連結部２７とで囲まれた空間に、ボウル部３１が通された状態においては、ボウル部３１の前後方向の移動が規制される。
【００５３】
さらに、本実施形態においては、前側連結部２５は第一連結部２５１と第二連結部２６１とに分断されており、第一連結部２５１と第二連結部２６１とをねじ固定することで、ボウル部３１を挟むことができるように構成されている。これにより、前側連結部２５と後側連結部２７とは、一対の支持部２４に対する載置部４の左右方向および前後方向の相対的な移動を規制することができる。
【００５４】
（２．４）その他の構成
便器１は、図４に示すように、便蓋６２と便座６１とを備えている。便座６１は、ユーザーが着座する際に使用される。便蓋６２は、便座６１を覆うように設けられており、便座６１がリム部３３上に載った状態において、便座６１の上方に配置される。便蓋６２と便座６１は、便器本体３の便器後部３４に回転自在に取り付けられている。
【００５５】
また、便器１は、局部洗浄装置を備えている。局部洗浄装置は、便器後部３４に収納されており、おしり洗浄機能やビデ機能を有している。
【００５６】
（３）変形例
以上の実施形態は本発明の一例に過ぎない。以下においては、本発明に係る技術思想の範囲における上記実施形態についての変形例を示す。
【００５７】
（３．１）支持フレームの変形例
（変形例１−１）
上記実施形態の支持フレーム２には、一対の補強部８として、一対の筋交い８１が設けられていたが、例えば、一対の補強部８は、図５Ａに示すような態様であってもよい（これを変形例１−１とする）。なお、本変形例においては、上記実施形態に対応する構成について、上記実施形態の構成と同じ符号を付した上で、符号の末尾に「ａ」を付記し、重複する説明は省略する。
【００５８】
変形例１−１の一対の補強部８ａの各々は、横補強体８２と、複数の縦補強体８３とを備えている。横補強体８２は、縦体２２ａの下端部から前方に向かって突出している。横補強体８２は前後方向に延びており、横補強体８２の長手方向は、支持部２４ａの長手方向に平行である。横補強体８２は、支持部２４ａと同様に、角パイプからなる。複数の縦補強体８３は、横補強体８２と、この横補強体８２に対応する支持部２４ａとを連結する。複数の縦補強体８３は、上下方向に延びており、前後方向に一定の間隔をおいて並んでいる。
【００５９】
また、横補強体８２および縦補強体８３は、支持部２４ａの下方に配置されている。これにより、変形例１の各補強部８は、支持部２４を下方から支持するように構成されている。
【００６０】
（変形例１−２）
上記実施形態の一対の補強部８は、支持部２４の下方に設けられていたが、例えば、図５Ｂに示すような態様であってもよい（これを変形例１−２とする）。なお、本変形例においては、上記実施形態に対応する構成について、上記実施形態の構成と同じ符号を付した上で、符号の末尾に「ｂ」を付記し、重複する説明は省略する。
【００６１】
変形例１−２の一対の補強部８ｂは、一対の支持部２４ｂの上方に配置されている。一対の補強部８ｂの各々は、筋交い８１ｂにより構成されている。各補強部８ｂは、縦体２２ｂの上端部と、対応する支持部２４ｂの前端部とを連結する。これにより、一対の補強部８ｂは、一対の支持部２４ｂを上方から吊り下げ支持するように構成されている。
【００６２】
（その他の変形例）
また、上記実施形態の支持フレーム２は、一対の支持部２４の前端部が、前側連結部２５により連結されていたが、前側連結部２５はなくてもよい。すなわち、左右方向に離れた一対の支持部２４の先端は、連結されていなくてもよい。
【００６３】
また、上記実施形態の一対の支持部２４は、直線状に形成されていたが、便器本体３の載置部４の形状に合わせた形状であればよく、例えば、平面視曲面状に形成されていてもよい。
【００６４】
また、上記実施形態の一対の支持部２４は、中空の角パイプにより構成されたが、例えば、中実の角材であってもよく、また、断面Ｃ字状，断面Ｉ字状，断面Ｔ字状，断面Ｄ字状，断面Ｏ字状，断面Ｌ字状に形成されてもよい。また、各支持部２４は、載置部４の下面の略全面を支持するように構成されてもよい。
【００６５】
また、上記実施形態の横体２３は、固定板２３２の上下方向の両端に一対の補強片２３３が設けられて鉛直断面Ｃ字状に形成されていたが、例えば、固定板２３２の上下方向のいずれかの端部に補強片２３３が設けられて断面Ｌ字状に形成されてもよい。また、横体２３は、例えば、リップ溝形鋼により構成されてもよい。さらに、横体２３は、中空のパイプや角材により構成されてもよい。
【００６６】
（３．２）載置部の変形例
（変形例２−１）
上記実施形態の載置部４は、リム部３３の横面部３３６のうち、左右方向の両側に位置する部分により構成されていたが、例えば、図６Ａに示すような態様であってもよい（これを変形例２−１とする）。なお、本変形例においては、上記実施形態に対応する構成について、上記実施形態の構成と同じ符号を付した上で、符号の末尾に「ｃ」を付記し、重複する説明は省略する。
【００６７】
変形例２−１の載置部４ｃは、リム部３３ｃのフランジ片３３１ｃにより構成される。フランジ片３３１ｃは、下内周部３３２ｃの下端部から水平面に沿って外側に突出している。また、載置領域４１ｃは、フランジ片３３１ｃの下面により構成される。なお、本変形例において、ボウル部３１ｃの上開口部３１１ｃの開口周縁には、突出片３２は設けられていない。
【００６８】
フランジ片３３１ｃは、ボウル部３１ｃの上開口部３１１ｃの左右方向の両側に対応する位置にのみ設けられてもよいし、上開口部３１１ｃの左右方向の両側と前側とに対応する位置に設けられてもよい。上開口部３１１ｃの前側に対応する位置にフランジ片３３１ｃが設けられる場合、当該フランジ片３３１ｃは、前側連結部２５により支持される。
【００６９】
（変形例２−２）
また、載置部４は、図６Ｂに示すような態様であってもよい（これを変形例２−２とする）。なお、本変形例においては、上記実施形態に対応する構成について、上記実施形態の構成と同じ符号を付した上で、符号の末尾に「ｄ」を付記し、重複する説明は省略する。
【００７０】
変形例２−２の載置部４ｄは、ボウル部３１ｄの上開口部３１１ｄの開口周縁に設けられた突出片３２ｄにより構成される。載置領域４１ｄは、突出片３２ｄの下面により構成される。なお、突出片３２ｄは、ボウル部３１ｄの上開口部３１１ｄの左右方向の両側にのみ設けられてもよいし、上開口部３１１ｄの左右方向の両側と前側とに設けられてもよい。上開口部３１１ｄの前側に突出片３２ｄが設けられる場合、当該突出片３２ｄは、前側連結部２５により支持される。
【００７１】
（変形例２−３）
また、載置部４は、図６Ｃに示すような態様であってもよい（これを変形例２−３とする）。なお、本変形例においては、上記実施形態に対応する構成について、上記実施形態の構成と同じ符号を付した上で、符号の末尾に「ｅ」を付記し、重複する説明は省略する。
【００７２】
変形例２−３の載置部４ｅは、スカート３６ｅからボウル部３１ｅ側に向かって突出した横板部３６１ｅにより構成される。横板部３６１ｅは、スカート３６ｅの内周面の全長にわたって連続している。また、横板部３６１ｅは、スカート３６ｅにおける支持部２４ｅの上面に対応する位置に設けられている。載置領域４１ｅは、横板部３６１ｅの下面の一部により構成されており、横板部３６１ｅの下面に含まれる。
【００７３】
本変形例においては、各横板部３６１ｅに、突出片３２ｅとフランジ片３３１ｅとが載っている。つまり、便器本体３ｅは、横板部３６１ｅ，突出片３２ｅおよびフランジ片３３１ｅとを介して、支持部２４ｅに支持されている。なお、突出片３２ｅおよびフランジ片３３１ｅは設けられなくてもよく、横板部３６１ｅだけで便器本体３ｅが支持されてもよい。
【００７４】
（変形例２−４）
また、載置部４は、図７に示すような態様であってもよい（これを変形例２−４とする）。なお、本変形例においては、上記実施形態に対応する構成について、上記実施形態の構成と同じ符号を付した上で、符号の末尾に「ｆ」を付記し、重複する説明は省略する。
【００７５】
変形例２−４の載置部４ｆは、ボウル部３１ｆの周壁の一部により構成されている。ボウル部３１ｆの周壁は、ボウル部３１ｆの内面側に突曲した一対の突曲部３１３ｆを有している。一対の突曲部３１３ｆは、ボウル部３１ｆの周壁のうちの左右方向の両側に、一対一で設けられる。一対の突曲部３１３ｆの各々は、水平面に沿った部分を含む。突曲部３１３ｆの外面のうち、この水平面に沿った面は、載置領域４１ｆを含む。
【００７６】
ボウル部３１ｆは、載置領域４１ｆが支持部２４ｆに載置されることで、支持部２４ｆに支持される。これにより、便器本体３ｆは支持フレーム２ｆに支持される。
【００７７】
（変形例２−５）
また、載置部４は、図８に示すような態様であってもよい（これを変形例２−５とする）。なお、本変形例においては、上記実施形態に対応する構成について、上記実施形態の構成と同じ符号を付した上で、符号の末尾に「ｇ」を付記し、重複する説明は省略する。
【００７８】
変形例２−５の載置部４ｇは、スカート３６ｇの内面からボウル部３１ｇ側に突出した支持片３６１ｇにより構成される。支持片３６１ｇは、スカート３６ｇの下端部の内周面の全長にわたって設けられている。載置領域４１ｇは、支持片３６１ｇの下面により構成される。
【００７９】
本変形例の支持フレーム２ｇは、変形例１−２の支持フレーム２ｂと同じ構造である。
【００８０】
スカート３６ｇの上端部は、便器本体３ｇのリム部３３ｇに溶着により固定されている。このため、スカート３６ｇの下端部を、載置部４ｇを介して支持フレーム２ｇにより支持することで、支持フレーム２ｇは便器本体３ｇを支持することができる。
【００８１】
（３．３）移動規制部の変形例
（変形例３−１）
上記実施形態の移動規制部は、挟持部としてのフランジ片３３１により構成されていたが、例えば、図９Ａに示すような態様であってもよい（これを変形例３−１とする）。なお、本変形例においては、上記実施形態に対応する構成について、上記実施形態の構成と同じ符号を付した上で、符号の末尾に「ｈ」を付記し、重複する説明は省略する。
【００８２】
変形例３−１の移動規制部は、ボウル部３１ｈの外面から水平面に沿って外側に突出した突出片３２ｈにより構成される。突出片３２ｈは、ボウル部３１ｈの開口周縁の左右方向の両側と前側とにわたって連続している。支持フレーム２ｈの一対の支持部２４ｈは、載置部４ｈとしての横面部３３６ｈと、突出片３２ｈとで挟まれる。つまり、本変形例においては、突出片３２ｈが挟持部に相当する。
【００８３】
このように、本変形例の便器１によれば、便器本体３ｈの突出片３２ｈと横面部３３６ｈ（載置部４ｈ）とで、一対の支持部２４ｈを挟むことができるため、支持フレーム２４ｈに対する載置領域４１ｈの前後方向，左右方向および上下方向への移動を抑制できる。これにより、支持フレーム２ｈに対する便器本体３ｈのがたつきを防止することができる。
【００８４】
（変形例３−２）
また、移動規制部は、例えば、図９Ｂに示すような態様であってもよい（これを変形例３−２とする）。なお、本変形例においては、上記実施形態に対応する構成について、上記実施形態の構成と同じ符号を付した上で、符号の末尾に「ｉ」を付記し、重複する説明は省略する。
【００８５】
変形例３−２の移動規制部は、スカート３６ｉに設けられた横板部３６１ｉにより構成される。横板部３６１ｉは、スカート３６ｉの内面からボウル部３１ｉ側に向かって突出している。横板部３６１ｉは、スカート３６ｉの内周面の全長にわたって連続している。横板部３６１ｉは、スカート３６ｉにおける支持部２４ｉの下面に対応する位置に設けられている。一対の支持部２４ｉは、載置部４ｉとしての横面部３３６ｉと、横板部３６１ｉとで挟まれる。つまり、本変形例においては、横板部３６１ｉが挟持部に相当する。
【００８６】
このように、本変形例の便器によれば、便器本体３ｉにおいて横面部３３６ｉ（載置部４ｉ）と横板部３６１ｉとで、一対の支持部２４ｉを挟むことができるため、支持部２４ｉに対する載置領域４１ｉの前後方向，左右方向および上下方向への移動を抑制できる。これにより、支持フレーム２ｉに対する便器本体３ｉのがたつきを防止することができる。
【００８７】
（変形例４−１）
上記実施形態の移動規制部は、載置部４と挟持部とにより一対の支持部２４を挟むことで、各支持部２４に対する載置領域４１の位置を保持していたが、例えば、図１０Ａに示すような態様であってもよい（これを変形例４−１とする）。なお、本変形例においては、上記実施形態に対応する構成について、上記実施形態の構成と同じ符号を付した上で、符号の末尾に「ｊ」を付記し、重複する説明は省略する。
【００８８】
変形例４−１の移動規制部は、載置領域４１ｊと各支持部２４ｊとを相互に固定する固着体５６ｊにより構成される。本変形例の固着体５６ｊは、ねじ具により構成される。
【００８９】
リム部３３ｊの横面部３３６ｊには、下方に向かって突出するねじ座５１ｊが設けられている。ねじ座５１ｊには複数の雌ねじが設けられており、複数の雌ねじが支持部２４ｊの長さ方向に沿って所定の間隔をおいて配置されている。本変形例の載置領域４１ｊは、ねじ座５１ｊの下面により構成される。
【００９０】
支持部２４ｊにねじ座５１ｊが載った状態で、支持部２４ｊの下方からねじ具（固着体５６ｊ）を通し、ねじ座５１ｊに支持部２４ｊをねじ止めする。これにより、支持部２４ｊに対する載置領域４１ｊの前後方向，左右方向および上下方向への移動が抑制され、支持部２４ｊに対する載置領域４１ｊの位置が保持される。したがって、本変形例によれば、支持フレーム２ｊに対する便器本体３ｊのがたつきを防止することができる。
【００９１】
（変形例４−２）
変形例４−１の固着体５６ｊは、横面部３３６ｊと支持部２４ｊとを相互に固着するものであったが、例えば、図１０Ｂに示すような態様であってもよい（これを変形例４−２とする）。なお、本変形例においては、上記実施形態に対応する構成について、上記実施形態の構成と同じ符号を付した上で、符号の末尾に「ｋ」を付記し、重複する説明は省略する。
【００９２】
変形例４−２のリム部３３ｋは、フランジ片３３１ｋを有している。フランジ片３３１ｋには、複数の雌ねじが形成されている。複数の雌ねじは、フランジ片３３１ｋにおいて、支持部２４ｋの長さ方向に沿って所定のピッチで形成されている。載置領域４１ｋは、このフランジ片３３１ｋの下面により構成される。
【００９３】
支持部２４ｋにフランジ片３３１ｋが載った状態で、支持部２４ｋの下方からねじ具５６ｋを通し、フランジ片３３１ｋの雌ねじに支持部２４ｋをねじ止めする。これにより、支持部２４ｋに対する載置領域４１ｋの前後方向，左右方向および上下方向への移動が抑制され、支持部２４ｋに対する載置領域４１ｋの位置が保持される。したがって、本変形例によれば、支持フレーム２ｋに対する便器本体３ｋのがたつきを防止することができる。
【００９４】
（変形例４−３）
また固着体５６は、例えば、図１０Ｃに示すような態様であってもよい（これを変形例４−３とする）。なお、本変形例においては、上記実施形態に対応する構成について、上記実施形態の構成と同じ符号を付した上で、符号の末尾に「Ｌ」を付記し、重複する説明は省略する。
【００９５】
本変形例のリム部３３Ｌは、フランジ片３３１Ｌを有している。また、ボウル部３１Ｌは、上開口部３１１Ｌの開口周縁に設けられた突出片３２Ｌを有している。フランジ片３３１Ｌおよび突出片３２Ｌには、当該フランジ片３３１Ｌと突出片３２Ｌとを貫通する複数の雌ねじが形成されている。複数の雌ねじは、フランジ片３３１Ｌおよび突出片３２Ｌにおいて、支持部２４Ｌの長さ方向に沿って所定のピッチで配置されている。載置領域４１Ｌは、突出片３２の下面により構成される。
【００９６】
支持部２４Ｌに突出片３２Ｌが載った状態で、支持部２４Ｌの下方からねじ具を通し、突出片３２Ｌおよびフランジ片３３１Ｌの複数の雌ねじに支持部２４Ｌをねじ止めする。これにより、支持部２４Ｌに対する載置領域４１Ｌの前後方向，左右方向および上下方向への移動が抑制でき、支持部２４Ｌに対する載置領域４１Ｌの位置が保持される。したがって、本変形例によれば、支持フレーム２Ｌに対する便器本体３Ｌのがたつきを防止することができる。なお、フランジ片３３１Ｌおよび突出片３２Ｌのいずれか一方に雌ねじを形成し、他方において、雌ねじの同軸上にばか孔を形成してもよい。
【００９７】
（変形例４−４）
また固着体５６は、例えば、図１０Ｄに示すような態様であってもよい（これを変形例４−４とする）。なお、本変形例においては、上記実施形態に対応する構成について、上記実施形態の構成と同じ符号を付した上で、符号の末尾に「ｍ」を付記し、重複する説明は省略する。
【００９８】
変形例のスカート３６ｍには、スカート３６ｍの内面からボウル部３１ｍ側に突出した支持片３６１ｍが設けられる。支持片３６１ｍは、スカート３６ｍにおいて支持部２４ｍの上面に対応する位置に設けられている。支持片３６１ｍは、スカート３６ｍの内周面の全長にわたって連続している。本変形例において、載置部４ｍは支持片３６１ｍにより構成され、載置領域４１ｍは、支持片３６１ｍの下面に含まれる。
【００９９】
支持片３６１ｍには、複数の雌ねじが形成されている。複数の雌ねじは、支持片３６１ｍにおいて、支持部２４ｍの長さ方向に沿って所定のピッチで配置されている。
【０１００】
支持部２４ｍに支持片３６１ｍが載った状態で、支持部２４ｍの下方からねじ具５６ｍを通し、支持片３６１ｍの雌ねじに支持部２４ｍをねじ止めする。ここで、スカート３６ｍの上端部は、便器本体３ｍのリム部３３ｍに溶着により固定されている。このため、支持部２４ｍに対する載置領域４１ｍの前後方向，左右方向および上下方向への移動を抑制することで、支持部２４ｍに対する載置領域４１ｍの位置が保持される。したがって、本変形例によれば、支持フレーム２ｍに対する便器本体３ｍのがたつきを防止することができる。
【０１０１】
（変形例４−５）
また固着体５６は、例えば、図１１Ａに示すような態様であってもよい（これを変形例４−５とする）。なお、本変形例においては、上記実施形態に対応する構成について、上記実施形態の構成と同じ符号を付した上で、符号の末尾に「ｎ」を付記し、重複する説明は省略する。
【０１０２】
変形例４−５の固着体５６ｎは、タッピングビスにより構成される。リム部３３ｎの横面部３３６ｎには、下方に向かって突出するねじ止め部５１ｎが設けられている。ねじ止め部５１ｎは、所定の厚みを有する。本変形例の載置領域４１ｎは、ねじ止め部５１ｎの下面により構成される。
【０１０３】
支持部２４ｎにねじ止め部５１ｎが載った状態で、支持部２４ｎの下方からタッピングビス（固着外５６ｎ）を通し、ねじ止め部５１ｎにねじ込んで、ねじ止めする。これにより、支持部２４ｎに対する載置領域４１ｎの前後方向，左右方向および上下方向への移動が抑制され、支持部２４ｎに対する載置領域４１ｎの位置が保持される。
【０１０４】
（変形例４−６）
また固着体５６は、例えば、図１１Ｂに示すような態様であってもよい（これを変形例４−６とする）。なお、本変形例においては、上記実施形態に対応する構成について、上記実施形態の構成と同じ符号を付した上で、符号の末尾に「ｏ」を付記し、重複する説明は省略する。
【０１０５】
変形例４−６の固着体５６ｏは、ボルトとナットとで構成される。リム部３３ｏのフランジ片３３１ｏには、上下方向に貫通する孔が設けられている。また、支持部２４ｏには、上下方向に貫通する貫通孔が設けられており、貫通孔は、フランジ片３３１ｏの孔に対応する位置に設けられる。本変形例の載置領域４１ｏは、フランジ片３３１ｏの下面により構成される。
【０１０６】
ボルトは、支持部２４ｏの下方から支持部２４ｏの孔とフランジ片３３１ｏの貫通孔に通された状態で、ボルトの先端にナットがねじ込まれ、締結される。これにより、支持部２４ｏに対するフランジ片３３１ｏの前後方向，左右方向および上下方向への位置ずれが防止され、支持部２４ｏに対する載置領域４１ｏの位置が保持される。
【０１０７】
（変形例５−１）
上記実施形態の移動規制部は、載置部４と挟持部とにより一対の支持部２４を挟むことで、各支持部２４に対する載置領域４１の位置を保持していたが、例えば、図１２Ａに示すような態様であってもよい（これを変形例５−１とする）。なお、本変形例においては、上記実施形態に対応する構成について、上記実施形態の構成と同じ符号を付した上で、符号の末尾に「ｐ」を付記し、重複する説明は省略する。
【０１０８】
変形例５−１の移動規制部は、突起部５２ｐにより構成されている。本変形例の突起部５２ｐは、横面部３３６ｐの下面において、支持部２４ｐの外縁に沿って突出する。突起部５２ｐは、図１３Ａに示すように、一対の支持部２４ｐおよび前側連結部２５ｐに沿って連続した突条であってもよいし、図１３Ｂに示すように、一対の支持部２４ｐにのみ沿って連続した突条であってもよい。また、突起部５２ｐは、図１４に示すように、複数の点状の突起により構成されてもよい。この複数の点状の突起は、横面部３３６ｐの下面において、支持部２４ｐの外縁に沿って一定の間隔をおいて断続的に形成されている。載置領域４１ｐは、横面部３３６ｐの下面の一部により構成され、横面部３３６に含まれる。
【０１０９】
便器本体３ｐの載置領域４１ｐが支持部２４ｐに載ると、図１２Ａに示すように、各支持部２４ｐの左右方向の両側に突起部５２ｐが位置する。これにより、支持部２４ｐに対する載置領域４１ｐの、少なくとも左右方向の相対的な移動が規制され、支持部２４ｐに対する載置領域４１ｐの位置が保持される。
【０１１０】
また、突起部５２ｐが前側連結部２５に対応する位置にも設けられる場合には、支持部２４ｐに対する載置領域４１ｐの前後方向の移動も規制することができる。
【０１１１】
（変形例５−２）
変形例５−２の突起部５２ｐは、各支持部２４ｐの左右方向の両側に設けられていたが、例えば、図１２Ｂに示すような態様であってもよい（これを変形例５−２とする）。なお、本変形例においては、上記実施形態に対応する構成について、上記実施形態の構成と同じ符号を付した上で、符号の末尾に「ｑ」を付記し、重複する説明は省略する。
【０１１２】
本変形例の突起部５２ｑは、各支持部２４ｑの左右両側の外縁のうち、外側に位置する外縁に沿って設けられている。この突起部５２ｑは、変形例５−１と同様に、一対の支持部２４ｑに対応する箇所にのみ設けられてもよいし、一対の支持部２４ｑおよび前側連結部２５ｑに対応する箇所に設けられてもよい。また、突起部５２ｑは、突条により構成されてもよいし、複数の点状の突起により構成されてもよい。載置領域４１ｑは、横面部３３６ｑの下面の一部により構成される。
【０１１３】
便器本体３ｑの載置領域４１ｑが支持部２４ｑに載ると、各支持部２４ｑの外側の外縁に沿って突起部５２ｑが位置する。これにより、支持部２４ｑに対する載置領域４１ｑの、少なくとも左右方向の相対的な移動が規制され、支持部２４ｑに対する載置領域４１ｑの位置が保持される。
【０１１４】
また、突起部５２ｑが前側連結部２５に対応する位置にも設けられる場合には、支持部２４ｑに対する載置領域４１ｑの前後方向の移動も規制することができる。
【０１１５】
（変形例５−３）
変形例５−１の突起部５２ｐは、横面部３３６ｐに設けられていたが、例えば、図１５Ａに示すような態様であってもよい（これを変形例５−３とする）。なお、本変形例においては、上記実施形態に対応する構成について、上記実施形態の構成と同じ符号を付した上で、符号の末尾に「ｒ」を付記し、重複する説明は省略する。
【０１１６】
変形例５−３の突起部５２ｒは、ボウル部３１ｒの突出片３２ｒから、各支持部２４ｒの外縁に沿って突出している。突起部５２ｒは、突出片３２の上面から上方に突出している。支持部２４ｒの内側の側面は、リブ３３７ｒの端面に当たっている。
【０１１７】
便器本体３ｒの載置領域４１ｒが支持部２４ｒに載ると、各支持部２４ｒの外側の外縁に沿って突起部５２ｒが位置する。これにより、支持部２４ｒに対する載置領域４１ｒの、少なくとも左右方向の相対的な移動が規制され、支持部２４ｒに対する載置領域４１ｒの位置が保持される。
【０１１８】
また、突起部５２ｒが前側連結部２５に対応する位置にも設けられる場合には、支持部２４ｒに対する載置領域４１ｒの前後方向の移動も規制することができる。
【０１１９】
（変形例５−４）
変形例５−１の突起部５２ｐは、横面部３３６ｐに設けられていたが、図１５Ｂに示すような態様であってもよい（これを変形例５−４とする）。なお、本変形例においては、上記実施形態に対応する構成について、上記実施形態の構成と同じ符号を付した上で、符号の末尾に「ｓ」を付記し、重複する説明は省略する。
【０１２０】
変形例５−４の突起部５２ｓは、スカート３６ｓに設けられた支持片３６１ｓの先端に設けられる。支持片３６１ｓは、スカート３６ｓにおいて支持部２４ｓの下面に対応する位置に設けられている。支持片３６１ｓは、スカート３６ｓの内周面の全長にわたって設けられている。突起部５２ｓは、支持片３６１ｓにおいて、各支持部２４ｓの両側の外縁のうちの内側の外縁に沿って突出している。
【０１２１】
便器本体３ｓの載置領域４１ｓが支持部２４ｓに載ると、各支持部２４ｓの外側の外縁に沿って突起部５２ｓが位置する。これにより、支持部２４ｓに対する載置領域４１ｓの、少なくとも左右方向の相対的な移動が規制され、支持部２４ｓに対する載置領域４１ｓの位置が保持される。
【０１２２】
また、突起部５２ｓが前側連結部２５に対応する位置にも設けられる場合には、支持部２４ｓに対する載置領域４１ｓの前後方向の移動も規制することができる。
【０１２３】
（変形例６）
上記実施形態の移動規制部は、前側連結部２５において、第一連結部２５１と第二連結部２６１とをねじ固定することで、ボウル部３１を挟むことができるように構成されていたが、図１６に示すような態様であってもよい（これを変形例６とする）。なお、本変形例においては、上記実施形態に対応する構成について、上記実施形態の構成と同じ符号を付した上で、符号の末尾に「ｔ」を付記して、重複する説明は省略する。
【０１２４】
変形例６の移動規制部は、前側連結部２５ｔと、後側連結部２７ｔを有している。後側連結部２７ｔは、長手方向の途中で分断されている。後側連結部２７ｔは、分断された部分がねじ具で連結されている。なお、後側連結部２７ｔの分断された部分の構造は、前側連結部２５ｔの分断された部分の構造と同じ構造であるため、説明は省略する。
【０１２５】
なお、上記実施形態の後側連結部２７ｔは、左右方向に直線状に形成されたが、本変形例の後側連結部２７ｔは、ボウル部３１ｔの後壁に沿って湾曲している。
【０１２６】
このように、本変形例の移動規制部は、一対の支持部２４ｔの間に後述のボウル部３１ｔが入った状態で、前側連結部２５ｔの分断された部分と、後側連結部２７ｔの分断された部分とがねじ具で連結されると、ボウル部３１ｔが一対の支持部２４ｔで挟まれる。この結果、支持フレーム２ｔとボウル部３１ｔとの左右方向の隙間がなくなり、支持フレーム２ｔに対する便器本体３ｔの左右方向の移動が規制される。
【０１２７】
（変形例７−１）
移動規制部は、図１７に示すような態様であってもよい（これを変形例７−１とする）。なお、本変形例においては、上記実施形態に対応する構成について、上記実施形態の構成と同じ符号を付した上で、符号の末尾に「ｕ」を付記し、重複する説明は省略する。
【０１２８】
変形例７−１の移動規制部は、係止部５４ｕと、被係止部５５ｕとを有している。係止部５４ｕは、載置部４ｕとしての横面部３３６ｕに設けられている。係止部５４ｕは、載置領域４１ｕに相当する部分に配置されており、すなわち、係止部５４ｕは載置領域４１ｕ内に設けられている。係止部５４ｕは、横面部３３６ｕの載置領域４１ｕ内の部分から下方に向かって突出している。係止部５４ｕは、第１の径を有する軸状部５４１ｕと、第１の径よりも大きい第２の径を有する膨大部５４２ｕとを有している。
【０１２９】
被係止部５５ｕは、各支持部２４ｕに設けられている。被係止部５５ｕは、いわゆるだるま孔により構成されている。被係止部５５ｕは、支持部２４ｕの長手方向に沿って、第一孔５５１ｕと第二孔５５２ｕとが並んでおり、第一孔５５１ｕと第二孔５５２ｕとが互いに繋がっている。第一孔５５１ｕは、膨大部５４２ｕの径（第２の径）よりも大きく形成されている。第二孔５５２ｕは、第２の径よりも小さくかつ第１の径よりも大きく形成されている。
【０１３０】
被係止部５５ｕに係止部５４ｕを引っ掛けるには、次のようにして行う。第一孔５５１ｕに係止部５４ｕを挿入し、支持部２４ｕに横面部３３６ｕを載せる。この状態で、横面部３３６ｕを第二孔５５２ｕ側に向かって（前向きに）移動させると、係止部５４ｕと被係止部５５ｕとが互いに係り合う。
【０１３１】
係止部５４ｕと被係止部５５ｕとが係り合った状態の便器１は、支持部２４ｕに対する載置領域４１ｕの左右方向の相対的な移動が規制され、支持部２４ｕに対する載置領域４１ｕの位置が保持される。なお、本変形例の第一孔５５１ｕは、第二孔５５２ｕの後方に配置されたが、第二孔５５２ｕの前方に配置されてもよい。また、第一孔５５１ｕと第二孔５５２ｕとの位置関係は、前後方向に並ぶ態様に限らず、左右方向に並んでいてもよい。
【０１３２】
（変形例７−２）
変形例７−１の移動規制部は、係止部５４ｕおよび被係止部５５ｕにより構成されたが、係止部５４ｕおよび被係止部５５ｕは例えば、図１８に示すような態様であってもよい（これを変形例７−２とする）。なお、本変形例においては、上記実施形態に対応する構成について、上記実施形態の構成と同じ符号を付した上で、符号の末尾に「ｖ」を付記し、重複する説明は省略する。
【０１３３】
本変形例の係止部５４ｖは、Ｌ字状の係止爪５４０ｖにより構成されている。係止爪５４０ｖは、その先端が前向きに延びている。被係止部５５ｖは、矩形状の貫通孔５５０ｖにより構成されている。貫通孔５５０ｖには、係止爪５４０ｖが挿通可能に構成されている。
【０１３４】
被係止部５５ｖに係止部５４ｖを引っ掛けるには、次のようにして行う。貫通孔５５０ｖに係止爪５４０ｖを挿入し、支持部２４ｖに横面部３３６ｖを載せる。この状態で、横面部３３６ｖを前向きに移動させると、係止爪５４０ｖと貫通孔５５０ｖとが互いに係り合う。これにより、支持部２４ｖに対する載置領域４１ｖの左右方向の相対的な移動が規制され、支持部２４ｖに対する載置領域４１ｖの位置が保持される。なお、本変形例の係止爪５４０ｖの先端は、前向きに延びていたが、例えば、後向きや左右方向のいずれか向かってに延びてもよい。
【０１３５】
（３．４）その他の部分の変形例
（変形例８−１）
上記実施形態では、各支持部２４と載置領域４１とは直接接触していたが、例えば、図１９Ａのように、各支持部２４と載置領域４１との間に異音防止材が設けられてもよい（これを変形例８−１とする）。なお、本変形例においては、上記実施形態に対応する構成について、上記実施形態の構成と同じ符号を付した上で、符号の末尾に「ｗ」を付記し、重複する説明は省略する。
【０１３６】
変形例８−１の異音防止材９ｗは、支持部２４ｗと載置領域４１ｗとの間と、支持部２４ｗとフランジ片３３１ｗとの間とに設けられている。異音防止材９ｗには、例えば、ゴムや、テフロン（登録商標）や合成樹脂等からなる低摩擦テープが用いられる。
【０１３７】
本変形例においては、支持部２４ｗと載置領域４１ｗとの間と、支持部２４ｗとフランジ片３３１ｗとの間に異音防止材９ｗが介在しているため、横面部３３６ｗに下方への外力が掛かっても、支持部２４ｗと便器本体３ｗが擦れて、異音が発生するのを抑制できる。
【０１３８】
（変形例８−２）
変形例８−１では、支持部２４ｗと載置領域４１ｗとの間と、支持部２４ｗとフランジ片３３１ｗとの間に異音防止材９ｗが設けられていたが、異音防止材９ｗは、例えば、図１９Ｂの位置に設けられてもよい（これを変形例８−２とする）。なお、本変形例においては、上記実施形態に対応する構成について、上記実施形態の構成と同じ符号を付した上で、符号の末尾に「ｘ」を付記し、重複する説明は省略する。
【０１３９】
変形例８−２の異音防止材９ｘは、支持部２４ｘと載置領域４１ｘとの間にのみ設けられている。これにより、支持部２４ｘと便器本体３ｘとの最も強く擦れる部分に異音防止材９ｘが設けられるため、最小限の異音防止材９ｘで、大きな異音が発生するのを抑制できる。
【０１４０】
（変形例９）
上記実施形態のトラップ部３５は、いわゆるＳ字トラップであったが、例えば、図２０に示すように、電動式のトラップ装置が用いられてもよい。なお、本変形例においては、上記実施形態に対応する構成について、上記実施形態の構成と同じ符号を付した上で、符号の末尾に「ｙ」を付記し、重複する説明は省略する。
【０１４１】
変形例９のトラップ部３５ｙは、後端が上下方向に移動可能なトラップ筒３５１ｙと、トラップ筒３５１ｙを駆動する駆動部３５２ｙと、トラップ筒３５１ｙを収容するケース３５３ｙとを備える。トラップ筒３５１ｙは、後端が上方に向くと、封水が形成可能となり、後端が下方に向くと排水できるように構成される。駆動部３５２ｙの駆動源は、例えばモータである。
【０１４２】
トラップ部３５ｙの下端は、スカート３６ｙの下端よりも上方に位置している。これにより、本変形例のトラップ部３５ｙは、スカート３６ｙの内部に収容される。電動式のトラップ部は、本実施形態のようなＳ字トラップに比べて重量が大きくなるが、支持フレーム２ｙによって壁面７０に強固に固定されているため、がたつくことなく、便器本体３ｙを支持することができる。
【０１４３】
（変形例１０）
上記実施形態の支持フレーム２は、上下方向に直線状に延びた縦体２２を備えていたが、縦体２２の下端部が前方に反って、壁面７０との間に隙間が生じる場合に備えて、図２１に示すような態様としてもよい（これを変形例１０とする）。なお、本変形例においては、上記実施形態に対応する構成について、上記実施形態の構成と同じ符号を付した上で、符号の末尾に「ｚ」を付記し、重複する説明は省略する。
【０１４４】
変形例１０の支持フレーム２ｚは、一対の縦体２２ｚの下端部が前方に位置するように湾曲している。この縦体２２ｚの下端部の湾曲は、例えば、以下のようにして生じる。一対の縦体２２ｚは、一対の支持部２４ｚとの間に、筋交い８１ｚが溶接による接合されている。筋交い８１ｚと各支持部２４ｚ、および筋交い８１ｚと各縦体２２ｚとが溶接されると、筋交い８１ｚ，各支持部２４ｚ，および各縦体２２ｚは高熱を帯びる。この後、筋交い８１ｚ，各支持部２４ｚ，および各縦体２２ｚは冷却され、加熱した部分を中心に収縮が生じる。このとき、縦体２２ｚは、縦体２２ｚの前面や筋交い８１ｚの収縮により前方に引っ張られ、例えば、図２１Ａのように変形する。
【０１４５】
本変形例の支持フレーム２ｚは、一対の縦体２２ｚの下端部に、一対一で対応するように一対のスペーサ部９１が設けられている。一対のスペーサ部９１は、各縦体２２ｚと壁面７０との間に配置され、各縦体２２ｚと壁面７０との間の隙間を埋める。各スペーサ部９１は、脚部９１１と、軸体９１２と、ナット９１３とを備えている。
【０１４６】
脚部９１１は、壁面７０に接触する。脚部９１１は、例えば、ゴム，軟質樹脂，硬質樹脂などにより構成される。脚部９１１の前面は、後面に対して傾斜しており、すなわち、壁面７０に対して傾斜するように構成される。軸体９１２は、脚部９１１の前面に直交する方向に延びている。なお、軸体９１２は、脚部９１１に対して回転しないが、脚部９１１の前面に対して角度変更可能に構成されている。
【０１４７】
軸体９１２の外周面には雄ねじが形成されている。軸体９１２は、各縦体２２ｚの下端部において、前後方向に貫通するように設けられた貫通孔２２１に挿通されている。ナット９１３は、軸体９１２にねじ込まれており、第一方向に回転させることで、軸体９１２の先端側に移動し、第二方向（第一方向とは反対方向）に回転させることで、脚部９１１側に移動する。
【０１４８】
スペーサ部９１は、軸体９１２を各縦体２２ｚの貫通孔２２１に挿入した状態で、壁面７０と各縦体２２ｚとの間に配置される。このように配置された状態において、ナット９１３を第一方向に旋回し、ナット９１３の前面を縦体２２ｚの後面に当て、脚部９１１の後面を壁面７０に当てる。なお、各貫通孔２２１の内径は、ナット９１３の外径よりも小さく形成されている。
【０１４９】
これにより、縦体２２ｚの下端部が壁面７０から離れていても、スペーサ部９１を介して、縦体２２ｚの下端部を壁面７０に支持させることができ、縦体２２ｚの下端部と壁面７０との間の隙間を原因とするがたつきを抑制することができる。
【０１５０】
なお、本変形例のスペーサ部は、脚部と軸体とナットにより構成されたが、くさび状のスペーサを、壁面７０と縦体２２ｚとの間の隙間に挿入してもよい。
【０１５１】
（４）応用例
上記実施形態の縦面は、トイレルームの壁面７０により構成されていたが、例えば、キャビネットなどの箱体の前面により構成されてもよく、縦面は壁面７０に限定されない。また、上記実施形態の固定体２１は壁面７０に固定されるが、固定体２１は、縦面に対して移動しないように取り付けられていればよい。例えば、支持フレーム２が壁パネルに取り付けられる場合、壁パネルの裏側にフレームを配置し、当該フレームと支持フレーム２とを連結することで、壁パネルに支持フレーム２を取り付けてもよい。これにより、壁面７０（壁パネルの前面）に対し、固定体２１を移動しないように、強固に取り付けることができる。なお、壁の剛性が高い場合には、支持フレーム２を壁に直接取り付けてもよい。
【０１５２】
上記実施形態の載置領域４１は、左右方向に沿った断面において、各支持部２４の上面のすべてに接触しているが、支持部２４の上面の一部にのみ接触するような態様であってもよい。例えば、横面部３３６の一部に、載置領域４１を形成する下方に突出する部分を設け、この突出する部分の下面が、断面において、支持部２４の上面の一部に載るような態様が挙げられる。
【０１５３】
また、各載置部４は各支持部２４に対して、前後方向に延びた少なくとも１つの載置領域４１を介して支持されていればよく、載置領域４１の数量は限定されない。例えば、各載置部４は、１つの支持部２４に対して、複数の載置領域４１を介して支持されていてもよい。
【０１５４】
上記実施形態の一対の支持部２４は、前側連結部２５により連結されていたが、この前側連結部２５はなくてもよい。すなわち、支持体２０として、一対の支持部２４の先端部が互いに連結されていなくてもよいし、上記実施形態のように一対の支持部２４の先端同士が互いに連結されていてもよい。
【０１５５】
上記実施形態の移動規制部は、後側連結部２７の一対の押圧体２８により、ボウル部３１を前側連結部２５に押し当てて、便器本体３の移動を規制していたが、例えば、スカート３６を支持フレーム２にねじ止めし、これにより便器本体３の移動を規制してもよい。
【０１５６】
上記実施形態の便器本体３は、合成樹脂により形成されていたが、例えば、薄い金属板により形成されてもよく、便器本体３の材質は限定されない。
【０１５７】
また、上記実施形態の便器１は、ユーザーが便座６１に着座可能な、いわゆる洋式の便器であったが、例えば、男性の小便用の便器に適用してもよい。この場合においても、縦面に支持フレームを固定し、便器本体を支持フレームに支持させるようにして構成される。男性の小便用の便器に適用することで、例えば、ユーザーが便器に手を掛けた際の外力に対して強くすることができる。
【０１５８】
実施形態と各変形例とで説明した構成は、適宜組み合わせて適用可能である。
【０１５９】
（５）効果
以上述べた実施形態および変形例から明らかなように、本発明に係る第１の形態の便器１は、便器本体３と、便器本体３を縦面に取り付ける支持フレーム２とを備える。支持フレーム２は、縦面に固定される固定体２１と、固定体２１から前方に向かって突出した支持体２０とを有する。支持体２０は、便器本体３を支持する左右方向に離れた一対の支持部２４を含む。便器本体３は、一対の支持部２４に一対一で対応する一対の載置部４を含む。一対の載置部４の各々は、前後方向に延びた少なくとも１つの載置領域４１を具備する。載置領域４１は、前後方向の全長にわたって一対の支持部２４の各々に支持されている。この第１の形態の便器１によれば、便器本体３から各支持部２４に掛かる荷重を分布荷重として作用させることができるため、各載置部４に掛かる反力も分布荷重として作用し、各支持部２４に生ずる応力の分布が均一化する。つまり、本実施形態の便器１によれば、支持フレーム２および便器本体３に掛かる荷重が、集中荷重として作用するのを抑制でき、便器１の破損を抑制できる。
【０１６０】
本発明に係る第１の態様の便器１は、以下の付加的な第２〜２５の形態を有する。
【０１６１】
本発明に係る第２の形態の便器１では、第１の形態において、載置領域４１は、一対の支持部２４の各々の上面に対して面接触していることを特徴とする。この第２の形態の便器１によれば、便器本体３の荷重を面で支持するため、載置部４に掛かる反力が、部分的に集中するのを一層防ぐことができ、載置部４に生じる応力の分布が偏るのを抑制できる。
【０１６２】
本発明に係る第３の形態の便器１では、第２の形態において、一対の支持部２４の各々の上面が平坦であることを特徴とする。この第３の形態の便器１によれば、便器本体３の載置領域４１を平坦にするという簡略な構成で、支持部２４と載置領域４１との面接触を実現できる。
【０１６３】
本発明に係る第４の形態の便器１では、第１〜第３のいずれかの形態において、以下の構成を備えることを特徴とする。すなわち、支持フレーム２は、一対の支持部２４を一対一で対応して補強する一対の補強部８を備える。一対の補強部８の各々は、一対の支持部２４のうちの対応する支持部２４と固定体２１とにわたって形成される。この第４の形態の便器１によれば、支持フレーム２の強度および剛性を向上させることができ、便器本体３から支持部２４に掛かる荷重や支持部２４から載置部４に係る反力によって便器１が変形したり破壊したりするのを抑制できる。
【０１６４】
本発明に係る第５の形態の便器１では、第４の形態において、一対の補強部８の各々は、対応する支持部２４と固定体２１とを連結した筋交い８１であることを特徴とする。この第５の形態の便器１によれば、筋交い８１という簡略な構造で補強部８を実現できる。
【０１６５】
本発明に係る第６の形態の便器１では、第４の形態において、以下の構成を備えることを特徴とする。すなわち、一対の補強部８の各々は、固定体２１から前方に向かって突出する横補強体８２と、横補強体８２と対応する支持部２４とを連結する縦補強体８３とを備える。この第６の形態の便器１によれば、横補強体８２の剛性を強くすることで、支持フレーム２の強度および剛性を効果的に高めることができる。
【０１６６】
本発明に係る第７の形態の便器１では、第４〜６のいずれかの形態において、一対の補強部８は、一対の支持部２４の下方に設けられていることを特徴とする。この第７の形態の便器１によれば、各支持部２４を下方から受けることができるため、支持部２４は便器本体３からの荷重を効果的に支持することができる。したがって、第７の形態の便器１によれば、各支持部２４の強度および剛性を一層高めることができる。
【０１６７】
本発明に係る第８の形態の便器１では、第１〜７のいずれかの形態において、以下の構成を備えることを特徴とする。すなわち、便器本体３は、ボウル部３１の上端に設けられたリム部３３を有している。リム部３３は水平に延びた載置部４としての横面部３３６を具備する。横面部３３６は載置領域４１を含んでいる。この第８の形態の便器１によれば、ユーザーが便座６１に着座したときのユーザーの体重を、支持部２４によって横面部３３６の下方から支持することができるため、支持部２４は効果的に荷重を受けることができる。この結果、第８の形態の便器１によれば、便器１の変形や破壊を抑制できる。
【０１６８】
本発明に係る第９の形態の便器１では、第８の形態において、一対の支持部２４の幅は、横面部３３６の幅の１／１０以上に形成されていることを特徴とする。この第９の形態の便器１によれば、横面部３３６における支持部２４に支持された箇所の面積をより大きくすることができ、横面部３３６や支持部２４に生ずる応力を緩和できる。
【０１６９】
本発明に係る第１０の形態の便器１では、第１〜７のいずれかの形態において、便器本体３は、載置部４としての突出片３２を具備することを特徴とする。突出片３２は、便器本体３に設けられたボウル部３１の外面から水平面に沿って突出し、載置領域４１を含む。この第１０の形態の便器１によれば、支持部２４がボウル部３１を支持するため、ボウル部３１を安定的に支持できる。
【０１７０】
本発明に係る第１１の形態の便器１では、第１〜７のいずれかの形態において、以下の構成を備えることを特徴とする。すなわち、便器本体３に設けられたボウル部３１の周壁は、ボウル部３１の内面側に突曲して形成された突曲部３１３ｆを有している。突曲部３１３ｆの外面は載置領域４１を含む。この第１１の形態の便器１によれば、支持部２４がボウル部３１の周壁を支持するため、ボウル部３１をより安定的に支持できる。
【０１７１】
本発明に係る第１２の形態の便器１では、第１〜１１のいずれかの形態において、一対の支持部２４の各々に対する、前後方向または左右方向のうちの少なくともいずれかへの載置領域の移動を規制する移動規制部をさらに備えている。この第１２の形態の便器１によれば、支持部２４に対して、載置領域４１の位置が保持されるため、支持フレーム２に対する便器本体３のがたつきや位置ずれの発生を抑制できる。
【０１７２】
本発明に係る第１３の形態の便器１では、第１２の形態において、移動規制部は、便器本体３に設けられた挟持部を有しており、挟持部と載置領域４１とで一対の支持部２４の各々を挟むように構成されていることを特徴とする。この第１３の形態によれば、便器本体３の上方への移動を防ぐことができ、支持フレーム２に対する便器本体３のがたつきの発生を抑制できる。
【０１７３】
本発明に係る第１４の形態の便器１では、第１２の形態において、以下の構成を備えることを特徴とする。すなわち、移動規制部は、突起部５２ｐ〜５２ｓを有している。突起部５２ｐ〜５２ｓは、便器本体３に設けられており、一対の支持部２４の外縁に沿って突出する。突起部５２ｐ〜５２ｓは、一対の支持部２４の各々と載置領域４１との左右方向の相対的な移動を規制するように構成されている。この第１４の形態の便器１によれば、支持部２４に対する載置領域４１の左右方向の相対的な移動が規制されるため、支持フレーム２に対する便器本体３の左右方向のがたつきや位置ずれの発生を抑制できる。
【０１７４】
本発明に係る第１５の形態の便器１では、第１２の形態において、以下の構成を備えることを特徴とする。すなわち、移動規制部は、前側連結部２５と、後側連結部２７とを有する。前側連結部２５は、一対の支持部２４の前端部を連結する。後側連結部２７は、便器本体３に設けられたボウル部３１の後方に配置され、一対の支持部２４を連結する。前側連結部２５および後側連結部２７は、一対の支持部２４に対する載置部４の前後方向の移動を規制するように構成される。この第１５の形態の便器１によれば、支持部２４に対する載置領域４１の前後方向の相対的な移動が規制されるため、支持フレーム２に対する便器本体３の前後方向のがたつきや位置ずれの発生を抑制できる。
【０１７５】
本発明に係る第１６の形態の便器１では、第１５の形態において、前側連結部２５が分断されており、分断された部分がねじ具２９で連結されていることを特徴とする。この第１６の形態の便器１によれば、一対の支持部２４の間にボウル部３１が入った状態で、分断された部分がねじ具で連結されると、ボウル部３１が一対の支持部２４で挟まれる。この結果、支持フレーム２に対する便器本体３の左右方向の移動が規制され、支持フレーム２に対する便器本体３の左右方向のがたつきや位置ずれの発生を抑制できる。
【０１７６】
本発明に係る第１７の形態の便器１では、第１５の形態において、後側連結部２７ｔが分断されており、分断された部分がねじ具２９ｔで連結されていることを特徴とする。この第１７の形態の便器１によれば、一対の支持部２４の間にボウル部３１が入った状態で、分断された部分がねじ具で連結されると、ボウル部３１が一対の支持部２４で挟まれる。このとき、前側連結部２５の分断された部分がねじ具２９で連結されるのに加えて、後側連結部２７ｔの分断された部分がねじ具２９ｔで連結されるため、一対の支持部２４は、ボウル部３１の前側から後側にわたってボウル部３１を挟むことができる。この結果、支持フレーム２に対する便器本体３の前後方向のがたつきや位置ずれの発生をより一層抑制できる。
【０１７７】
本発明に係る第１８の形態の便器１では、第１５の形態において、前側連結部２５は、便器本体３を支持するように構成されていることを特徴とする。この第１８の形態の便器１によれば、例えば、ユーザーが着座した姿勢から、脚部に力を入れて立ち上がる際に、ボウル部３１の先端部に荷重が掛かっても、その荷重を支持フレーム２によって効果的に支持できる。
【０１７８】
本発明に係る第１９の形態の便器１では、第１２の形態において、移動規制部は、載置領域４１と一対の支持部２４の各々とを相互に固着する固着体５６を有していることを特徴とする。この第１９の形態の便器１によれば、一対の支持部２４に対して、載置領域４１の水平方向および上下方向（鉛直方向）の移動を規制でき、支持フレーム２に対する便器本体３の水平方向および上下方向のがたつきや位置ずれの発生を抑制できる。
【０１７９】
本発明に係る第２０の形態の便器１では、第１２の形態において、移動規制部は、便器本体３に設けられた係止部５４ｕ，５４ｖと、支持フレーム２に設けられた被係止部５５ｕ，５５ｖとを有する。被係止部５５ｕ，５５ｖは、係止部５４ｕ，５４ｖが引っ掛けられるように構成されることを特徴とする。この第２０の形態の便器１によれば、一対の支持部２４に対して、載置領域４１の水平方向および上下方向の移動を規制でき、支持フレーム２に対する便器本体３の水平方向および上下方向のがたつきの発生を抑制できる。
【０１８０】
本発明に係る第２１の形態の便器１では、第１〜２０のいずれかの形態において、便器本体３と一対の支持部２４との間には、異音防止材９ｗ，９ｘが介在していることを特徴とする。この第２１の形態の便器１によれば、便器本体３と一対の支持部２４とが相対的に移動しても、互いに擦れて異音が発生するのを抑制できる。
【０１８１】
本発明に係る第２２の形態の便器１では、第１〜２１のいずれかの形態において、以下の構成を有することを特徴とする。固定体２１は、縦面に沿って固定される固定板２３２を有する。固定板２３２には、固着具挿通孔２３１が設けられている。固着具挿通孔２３１は、縦面に固定するための固着具が通される。固定板２３２は、固着具挿通孔２３１の開口周縁部２３４が、固定板２３２における開口周縁部２３４以外の箇所に比べて厚く形成されている。この第２２の形態の便器１によれば、固定板２３２として、できる限り薄い材料を用いて、材料費を削減しながらも、固着具から固定板２３２に掛かる外力を分布させることができ、破壊を抑制できる。
【０１８２】
本発明に係る第２３の形態の便器１では、固定体２１と縦面との間の隙間に配置されるスペーサ部９１をさらに備えていることを特徴とする。この第２３の形態によれば、固定体２１と縦面との間に隙間が生じても、縦面に対する支持フレーム２のがたつきが発生するのを抑制できる。
【０１８３】
本発明に係る第２４の形態の便器１では、第１〜２３のいずれかの形態において、便器本体３は、一対の支持部２４を外側から覆ったスカート３６を有していることを特徴とする。この第２４の形態の便器１によれば、一対の支持部２４を覆うことで、支持部２４がむき出しになるのを防ぐことができ、便器１の見栄えを向上させることができる。
【０１８４】
本発明に係る第２５の形態の便器１では、第１〜２４のいずれかの形態において、便器本体３は樹脂製であることを特徴とする。この第２３の形態の便器１によれば、陶器製の便器１に比べて、便器本体３を軽量化することができ、また、製造が容易となり、コストダウンを図ることができる。また、陶器に比べて寸法精度を向上させることができる。その上、便器本体３を樹脂製にしても、支持フレーム２によって支持されているため、ユーザーが着座して体重が便器本体３に掛かっても、効果的に便器本体３を支持することができる。
【符号の説明】
【０１８５】
１        便器
２        支持フレーム
２０      支持体
２１      固定体
２３１    固着具挿通孔
２３２    固定板
２３４    開口周縁部
２４      支持部
２５      前側連結部
２７，２７ｔ      後側連結部
２９      ねじ具
２９ｔ    ねじ具
３        便器本体
３１      ボウル部
３１３ｆ  突曲部
３２      突出片
３３      リム部
３３６    横面部
３６      スカート
４        載置部
４１      載置領域
５        移動規制部
５２ｐ〜５２ｓ    突起部
５４ｕ，５４ｖ    係止部
５５ｖ，５５ｖ    被係止部
５６      固着体
７０      壁面（縦面）
８        補強部
８１      筋交い
８２      横補強体
８３      縦補強体
９ｗ，９ｘ    異音防止材
９１      スペーサ部
【図１】
0006671025.tif 000002
【図２】
0006671025.tif 000003
【図３】
0006671025.tif 000004
【図４】
0006671025.tif 000005
【図５】
0006671025.tif 000006
【図６】
0006671025.tif 000007
【図７】
0006671025.tif 000008
【図８】
0006671025.tif 000009
【図９】
0006671025.tif 000010
【図１０】
0006671025.tif 000011
【図１１】
0006671025.tif 000012
【図１２】
0006671025.tif 000013
【図１３】
0006671025.tif 000014
【図１４】
0006671025.tif 000015
【図１５】
0006671025.tif 000016
【図１６】
0006671025.tif 000017
【図１７】
0006671025.tif 000018
【図１８】
0006671025.tif 000019
【図１９】
0006671025.tif 000020
【図２０】
0006671025.tif 000021
【図２１】
0006671025.tif 000022